(57)【要約】【課題】閉鎖弁カバーの開口からの侵入物がコンジット取付板から延びる電線に接触することを防止することができる空気調和機の室外機を提供する。【解決手段】空気調和機の室外機１は、本体ケーシング２と、少なくとも１つの閉鎖弁１１、１２と、閉鎖弁カバー３と、コンジット取付板４と、遮蔽部５とを備えている。少なくとも１つの閉鎖弁１１、１２は、本体ケーシング２の外表面に取り付けられ、冷媒配管に接続される。閉鎖弁カバー３は、冷媒配管が通る開口３ａを有している。閉鎖弁カバー３は、閉鎖弁１１、１２を覆う。コンジット取付板４は、閉鎖弁カバー３の内部空間３ｂにおける本体ケーシング２の外表面の位置に取り付けられている。遮蔽部５は、コンジット取付板４の周囲に配置されている。遮蔽部５は、コンジット取付板４に取り付けられるコンジットから出た電線を開口３ａから閉鎖弁カバー３内部に侵入する侵入物が接触することを防止する。【選択図】図３
2008020132.tif 000002
【特許請求の範囲】
【請求項１】
本体ケーシング（２）と、
本体ケーシング（２）の外表面に取り付けられ、冷媒配管に接続される少なくとも１つの閉鎖弁（１１、１２）と、
前記冷媒配管が通る開口（３ａ）を有し、前記閉鎖弁（１１、１２）を覆う閉鎖弁カバー（３）と、
前記閉鎖弁カバー（３）の内部空間における前記本体ケーシング（２）の外表面の位置に取り付けられたコンジット取付板（４）と、
前記コンジット取付板（４）の周囲に配置され、前記コンジット取付板（４）に取り付けられるコンジットから出た電線と前記開口（３ａ）から前記閉鎖弁カバー（３）内部に侵入する侵入物とが接触することを防止する遮蔽部（５）と
を備えている
空気調和機の室外機（１）。
【請求項２】
前記遮蔽部（５）は、前記閉鎖弁カバー（３）の内面に設けられ、前記コンジット取付板（４）の近傍から延びる遮蔽リブである、
請求項１に記載の空気調和機の室外機（１）。
【請求項３】
前記遮蔽部（５）は、前記閉鎖弁カバー（３）とともに、合成樹脂によって一体成形される、
請求項１または２に記載の空気調和機の室外機（１）。
【発明の詳細な説明】
【技術分野】
【０００１】
本発明は、コンジットが接続される空気調和機の室外機に関する。
【背景技術】
【０００２】
従来より、国や地域によっては、空気調和機に対して電源用コードおよび信号用コード等の電線を接続する場合に、絶縁性の高い電線用配管であるコンジットに覆われた電線を使用しなければならない制約がある。このような国や地域で使用するためのコンジットが接続された空気調和装置として、特許文献１に記載の空気調和機がある。
【０００３】
このような空気調和機では、コンジットは、空気調和機のフレームに取り付けられたコンジット取付板に接続される。コンジット取付板に取り付けられたコンジットの端部からコンジット内部の電線が外部に延びて端子台等に接続される。
【特許文献１】特開２００３−７４９０４号公報
【発明の開示】
【発明が解決しようとする課題】
【０００４】
上記のコンジット取付板は、空気調和機の室外機の側面に取り付けて閉鎖弁カバーの内部空間に配置することが考えられる。閉鎖弁カバーは、ガス冷媒用閉鎖弁および液冷媒用閉鎖弁にそれぞれ接続されたガス冷媒配管および液冷媒配管を外部に取り出すための背面側開口を有している。
【０００５】
この場合には、コンジット取付板に取り付けられたコンジット端部からコンジット内部の電線が剥き出しになって延びる部分は、閉鎖弁カバーの背面側開口から手指などの侵入物が侵入した場合には侵入物と電線とが接触するおそれがある。また、コンジットの使用を義務付けている国や地域によっては、手が電線に接触すると違法となることがある。
【０００６】
本発明の課題は、閉鎖弁カバーの開口からの侵入物がコンジット取付板から延びる電線に接触することを防止することができる空気調和機の室外機を提供することにある。
【課題を解決するための手段】
【０００７】
第１発明の空気調和機の室外機は、本体ケーシングと、少なくとも１つの閉鎖弁と、閉鎖弁カバーと、コンジット取付板と、遮蔽部とを備えている。少なくとも１つの閉鎖弁は、本体ケーシングの外表面に取り付けられ、冷媒配管に接続される。閉鎖弁カバーは、冷媒配管が通る開口を有している。閉鎖弁カバーは、閉鎖弁を覆う。コンジット取付板は、閉鎖弁カバーの内部空間における本体ケーシングの外表面の位置に取り付けられている。遮蔽部は、コンジット取付板の周囲に配置されている。遮蔽部は、コンジット取付板に取り付けられるコンジットから出た電線を開口から閉鎖弁カバー内部に侵入する侵入物が接触することを防止する。
【０００８】
ここでは、遮蔽部がコンジット取付板の周囲に配置されているので、この遮蔽部によってコンジット取付板に取り付けられるコンジットから出た電線を開口から閉鎖弁カバー内部に侵入する侵入物が接触することを防止することが可能である。
【０００９】
第２発明の空気調和機の室外機は、第１発明の室外機であって、遮蔽部は、閉鎖弁カバーの内面に設けられている。遮蔽部は、コンジット取付板の近傍から延びる遮蔽リブである。
【００１０】
ここでは、遮蔽部が閉鎖弁カバーの内面に設けられ、かつ遮蔽部がコンジット取付板の近傍から延びる遮蔽リブであるので、閉鎖弁カバーを取り付けるだけで遮蔽リブをコンジット取付板の近傍に配置することが可能になり、コンジットから出た電線と侵入物との接触を効果的に防止することが可能になる。
【００１１】
第３発明の空気調和機の室外機は、第１発明または第２発明の室外機であって、遮蔽部は、閉鎖弁カバーとともに、合成樹脂によって一体成形される。
【００１２】
ここでは、遮蔽部が閉鎖弁カバーとともに合成樹脂によって一体成形されるので、部品点数および製造コストの増加を抑えることが可能になる。
【発明の効果】
【００１３】
第１発明によれば、コンジットから出た電線を開口から閉鎖弁カバー内部に侵入する侵入物が接触することを防止できる。
【００１４】
第２発明によれば、コンジットから出た電線と侵入物との接触を効果的に防止することができる。
【００１５】
第３発明によれば、部品点数および製造コストの増加を抑えることができる。
【発明を実施するための最良の形態】
【００１６】
＜室外機１の全体構成＞
図１〜２に示される空気調和機の室外機１は、本体ケース２と、本体ケース２の外側面にそれぞれ取り付けられた閉鎖弁１１、１２およびコンジット取付板４と、閉鎖弁１１、１２およびコンジット取付板４を覆う閉鎖弁カバー３とを備えている。閉鎖弁カバー３は、図３および図５に示される遮蔽部５を有する
室外機１の本体ケース２の内部には、図２に示されるように、電装箱２１、圧縮機２３、熱交換器２４およびファン２５が内蔵されている。電装箱２１には、電気回路基盤が内蔵されている。
【００１７】
電装箱２１の端子２２は、本体ケース２の外側面に形成された開口２ａを通して電線ＥＬ１、ＥＬ２（図３参照）と接続可能である。
【００１８】
閉鎖弁１１、１２は、図２および図３に示されるように、本体ケーシング２の外側面に取り付けられている。閉鎖弁１１、１２は、ガス冷媒を搬送する冷媒配管ＲＧおよび液冷媒を搬送する冷媒配管ＲＬにそれぞれ接続されている。
【００１９】
コンジット取付板４は、閉鎖弁カバー３の内部空間３ｂにおける本体ケーシング２の外側面の位置に取り付けられている。コンジット取付板４には、２本のコンジットＣ１、Ｃ２が取り付けられている。
【００２０】
コンジット取付板４は、図４および図６に示されるように、本体部分４ａと、ネジ止め部分４ｂと、補強部分４ｆとを有している。本体部分４ａは、コンジットＣ１、Ｃ２のそれぞれの中空おねじ部分Ｓ（図６参照）が挿入される取付穴４ｃおよび４ｄを有している。また、本体部分４ａと直角に連結されたネジ止め部分４ｂは、ネジ止め部分４ｂを本体ケース２の外側面にネジ止めするためのネジが挿入されるネジ穴４ｅを有している。また、補強部分４ｆは、本体部分４ａとネジ止め部分４ｂの上下端面に連結して本体部分４ａを補強することによって、本体部分４ａの曲げやぐらつきを防ぐ。
【００２１】
図６に示されるように、コンジットＣ１は、電源線ＥＬ１を覆うコンジットである。コンジットＣ２は、室外機１と室内機（図示せず）との間を接続する信号線ＥＬ２を覆うコンジットである。コンジットＣ１、Ｃ２は、電線ＥＬ１、ＥＬ２よりも高い剛性を有しているので、曲げにくい性質を有している。そのため、コンジットＣ１、Ｃ２を曲げて電装箱２１の端子２２（図２参照）に直接接続することは難しい。そのため、コンジットＣ１、Ｃ２をコンジット取付板４に固定した状態で、コンジットＣ１、Ｃ２の内部の電線ＥＬ１、ＥＬ２だけ延ばして端子２２に接続するようにしている。ここで、コンジットＣ１、Ｃ２をコンジット取付板４に固定するために、まず、コンジットＣ１、Ｃ２の中空おねじ部分Ｓがコンジット取付板４の取付穴４ｃおよび４ｄに挿入され、中空おねじ部分Ｓの根元部分から周方向に張り出したフランジＴとナットＮによってコンジット取付板４の本体部分４ａを挟み込むように、ナットＮが中空おねじ部分Ｓに締め付けられている。
【００２２】
閉鎖弁カバー３は、図１、３ならびに５に示されるように、閉鎖弁１１、１２、コンジット取付板４および本体ケース２の開口２ａを覆っている。また、閉鎖弁カバー３は、背面側開口３ａを有している。背面側開口３ａを通して、冷媒配管ＲＧ、ＲＬおよびコンジットＣ１、Ｃ２が閉鎖弁カバー３の外に延びている。
【００２３】
＜遮蔽部５の構成＞
図３および図５に示されるように、遮蔽部５は、コンジット取付板４の周囲に配置されている。具体的には、遮蔽部５は、閉鎖弁カバー３の内面のうちコンジット取付板４の近傍の部分から延びる遮蔽リブ５ａ、５ｂである。遮蔽リブ５ａは、閉鎖弁カバー３の内部空間３ｂのうちコンジット取付板４の上方の部分を遮蔽している。また、遮蔽リブ５ｂは、閉鎖弁カバー３の内部空間３ｂのうちコンジット取付板４の下方の部分を遮蔽している、これによって、背面側開口３ａと電線ＥＬ１、ＥＬ２との間は、遮蔽部５によって分離されている。その結果、遮蔽部５は、コンジット取付板４に取り付けられるコンジットＣ１、Ｃ２から出た電線ＥＬ１、ＥＬ２を背面側開口３ａから閉鎖弁カバー３内部に侵入する手指などの侵入物が接触することを防止する
遮蔽部５は、閉鎖弁カバー３とともに、合成樹脂によって一体成形されている。閉鎖弁カバー３は屋外に露出する状態で使用されるので、閉鎖弁カバー３および遮蔽部５は、耐衝撃性および防水性等の性質にすぐれた合成樹脂を用いて製造される。
【００２４】
〔実施形態の特徴〕
（１）
本実施形態の空気調和機の室外機１では、遮蔽部５がコンジット取付板４の周囲に配置されているので、遮蔽部５によってコンジット取付板４に取り付けられるコンジットＣ１、Ｃ２から出た電線ＥＬ１、ＥＬ２を背面側開口３ａから閉鎖弁カバー３内部に侵入する手指などの侵入物が接触することを防止することが可能である。
【００２５】
（２）
本実施形態の空気調和機の室外機１では、遮蔽部５が閉鎖弁カバー３の内面に設けられ、かつ遮蔽部５がコンジット取付板４の近傍から延びる遮蔽リブ５ａ、５ｂである。そのため、閉鎖弁カバー３を取り付けるだけで遮蔽リブ５ａ、５ｂをコンジット取付板４の近傍に配置することが可能になり、コンジットＣ１、Ｃ２から出た電線ＥＬ１、ＥＬ２と侵入物との接触を効果的に防止することが可能になる。
【００２６】
（３）
本実施形態の空気調和機の室外機１では、遮蔽部５が閉鎖弁カバー３とともに合成樹脂によって一体成形されるので、部品点数および製造コストの増加を抑えることが可能になる。
【産業上の利用可能性】
【００２７】
本発明はコンジット取付板が本体ケーシングの外表面に取り付けられた空気調和機の室外機に適用することが可能である。
【図面の簡単な説明】
【００２８】
【図１】本発明の実施形態に係わる空気調和機の室外機の外観斜視図。
【図２】図１の室外機の閉鎖弁カバーを取り除いた状態の斜視図。
【図３】図１の閉鎖弁カバー内部における閉鎖弁およびコンジット取付板付近を示す拡大図。
【図４】図３のコンジット取付板の斜視図。
【図５】図３におけるコンジット取付板および遮蔽部の配置を矢印Ａから見た状態の概略図。
【図６】図３のコンジット取付板にコンジットが取り付けられた状態の断面図。
【符号の説明】
【００２９】
１  室外機
２  本体ケーシング
３  閉鎖弁カバー
４  コンジット取付板
５  遮蔽部
【図１】
2008020132.tif 000003
【図２】
2008020132.tif 000004
【図３】
2008020132.tif 000005
【図４】
2008020132.tif 000006
【図５】
2008020132.tif 000007
【図６】
2008020132.tif 000008